(57)【要約】【課題】学校校舎などにおける比較的大きな部屋内の空気から、指針物質さらには指針物質以外の化学物質や臭気を、短時間にかつ経済的に低減させる。【解決手段】学校教室やオフィス居室などの集団生活を可能とする大きさを持った部屋Ｒに設備された空調機１の室内機１”の除塵フィルタと置き換え可能な大きさと形状と通気性能とを備えると共に、揮発性有機化合物を捕捉可能な空気質改善フィルタ２０を用意し、少なくとも、前記部屋Ｒの空気における揮発性有機化合物の濃度が一定濃度以下になるまでの間、前記除塵フィルタを前記空気質改善フィルタ２０に取り替えた状態で前記空調機１による空気調和をなす。【選択図】図７
2006159086.tif 000002
【特許請求の範囲】
【請求項１】
学校教室やオフィス居室などの集団生活を可能とする大きさを持った部屋に設備された空調機の室内機又はファンコイルの除塵フィルタと置き換え可能な大きさと形状と通気性能とを備えると共に、揮発性有機化合物を捕捉可能な空気質改善フィルタを用意し、
少なくとも、前記部屋の空気における揮発性有機化合物の濃度が一定濃度以下になるまでの間、前記除塵フィルタを前記空気質改善フィルタに取り替えた状態で前記空調機による空気調和をなすようにすることを特徴とする空気質改善方法。
【請求項２】
空気質改善フィルタを、一面側を空気の流入側とし、かつ、他面側を空気の流出側とすると共に、波形断面を持つか、又は、プリーツ状をなすように成形されたマット状体によって構成させていると共に、
この空気質改善フィルタを、粉状又は粒状をなす活性炭を担持しており主として揮発性有機化合物を捕捉する主ろ材と、
この主ろ材における空気の流入側に向けられる面を覆って主として塵芥を捕捉する副ろ材とを有するものとしていることを特徴とする請求項１記載の空気質改善方法。
【請求項３】
空気質改善フィルタを、主ろ材に担持された活性炭に、カテキン類を添着させているものとしていることを特徴とする請求項２記載の空気質改善方法。
【発明の詳細な説明】
【技術分野】
【０００１】
この発明は、新築や補修にかかる学校校舎やオフィスビルなどにおける比較的大きな部屋内の空気質を改善させる方法に関する。より詳しくは、建材などから放散されるホルムアルデヒド、トルエン、キシレン、エチルベンゼン、スチレン、ｐ−ジクロロベンゼンなどの揮発性有機化合物（ＶＯＣ；Volatile Organic Compounds）を除去して、前記部屋内の空気質を改善（つまりＶＯＣ濃度を低減）させる方法に関する。
【背景技術】
【０００２】
1990年代の半ば頃から、いわゆる「シックハウス症候群」（建物の気密化や化学物質を放散する建材・内装材の使用等により、新築・改築後の住宅やビルにおいて、化学物質による室内空気汚染を原因とする、居住者の様々な体調不良）が社会問題化されてきている。
【０００３】
わが国では、1997年6月に厚生省（現・厚生労働省）が汚染物質のひとつとされている「ホルムアルデヒド」の濃度指針値を策定したのを初めとして、2003年7月には、建築基準法とその関連法規が大きく改正され、換気回数等の細かい基準が決められている。
【０００４】
また、学校等の教育施設に関しては、学校環境衛生の基準（2002年4月1日施行）に伴い、ホルムアルデヒド、トルエン、キシレン、エチルベンゼン、スチレン、ｐ−ジクロロベンゼンなどのＶＯＣの濃度測定の要請がある。
【０００５】
さらに厚生労働省からは、居住者への健康影響の観点により、人体への影響が大きいと言われている13の化学物質とその室内濃度指針値（以下、「指針物質」と「指針値」、とそれぞれいうことがある。）が示されている。例えば、ホルムアルデヒド１００μｇ／ｍ３、トルエン２６０μｇ／ｍ３、キシレン８７０μｇ／ｍ３のように指針物質と指針値がそれぞれ設定されている。
【０００６】
現在、竣工引渡し前の建物では、化学物質としてホルムアルデヒドおよびトルエンの濃度は指針値を超えることが多く、とくに学校の場合では、トルエンなどのＶＯＣの濃度が指針値を越える傾向にあり、室内空気質の改善が求められている。
【０００７】
現在、室内空気質の改善として、次のような対策があげられる。
１．指針物質の含有量・放散が少ない建材の選定
２．指針物質以外の化学物質の含有量・放散が少ない建材の選定
３．化学物質の放散促進・抑制に考慮した施工法の選定
４．換気計画や機械換気の設定（例えば、特開２００１−１３２９９７号の換気システムなど）
５．施工中を含めた窓開け換気などの実施
６．ベイクアウトの実施
７．化学物質吸着シートの採用
８．多孔質素材や光触媒などを利用した化学物質吸着建材の採用
９．除湿装置の設置
１０．空気清浄装置の設置（例えば、特開２０００−３００６５９号の空気清浄器など）
【０００８】
前記対策１〜３は根本的な解決手段であるが、多くの公共工事のように、あらかじめ設計図書などで建材や施工の仕様が定められ、容易に変更することができない場合には適用できない。
【０００９】
前記対策４、５は、窓などの開閉や、換気扇の設置といった簡単な解決手段であるが、室内のＶＯＣ濃度の低減にはかなりの時間を要する。また、作業人員の確保や、雨水・埃などの侵入、防犯などの面でも課題がある。自動的に室内を換気する技術として、２４時間換気システムも知られているが、そのために新たな設備が必要となり、コストが嵩む。
【００１０】
前記対策６は、室内温度を上昇させることにより室内のＶＯＣ濃度を低減させる手段であるが、低減効果が明らかでなく、また、かえって濃度が高くなってしまう場合があると共に、内装材を熱により変形させてしまう場合もある。
【００１１】
前記対策７、８は、汚染空気が対象部位に接触しないと、ＶＯＣ濃度が低減しないので、室内で大量に使用しない限り、通常効果があまりみられない。
【００１２】
前記対策９は、ホルムアルデヒドのような水溶性物質にしか効果がなく、トルエンなどに対しては効果がみられない。
【００１３】
前記対策１０は、対策１、２と比較すると、有効な解決手段であり、すでに家庭用の製品は多数市販されているが、学校教室やオフィス居室のような集団生活を可能とする大きさを持った部屋を対象する場合、一機では装置が大がかりなものとならざるを得ず、そうしないとすると多数機の設置が必要となり、したがってまた、建物の引渡し後にも空気清浄を継続しようとするとこのように設置された装置によって部屋の利用を著しく制約させてしまう。
【００１４】
また、指針物質などの放散が少ない建材の選定や、機械換気の義務付けがなされたとしても、竣工から引渡しまでの期間が短い場合や、改修工事のように枯らし期間が十分取れない場合などでは、指針値を越えてしまうことがある。
【００１５】
また、指針物質の放散を抑制するため、最近では、各種仕上材に代替物質を使用する傾向にあり、その結果、指針物質以外の濃度が高くなったり、従来とは異なる臭いがしたりなどの別の問題も顕在化しつつある。
【特許文献１】特開２００１−１３２９９７号公報
【特許文献２】特開２０００−３００６５９号公報
【発明の開示】
【発明が解決しようとする課題】
【００１６】
この発明が解決しようとする主たる問題点は、新築や改修にかかる学校校舎やオフィスビルなどにおける比較的大きな部屋内の空気から、トルエンなどの指針物質、さらには、指針物質以外の化学物質や臭気を、短時間にかつ経済的に低減させることができるようにする点にある。
【課題を解決するための手段】
【００１７】
本発明者らは、学校教室やオフィス居室などに既設の空調機に着目した。通常、このような空調機の室内機やファンコイルの室内エア流入部には、エアフィルタとしてロングライフフィルタ（除塵フィルタ）が組み込まれているが、このエアフィルタは室内の化学物質の除去までを対象としていない。
【００１８】
本発明は、学校教室やオフィス居室などに既設の空調機のエアフィルタに室内の化学物質濃度を低減する機能が備わっていれば、空調機の冷暖房等運転を行いながら、短時間にかつ経済的に室内空気質を改善できると考え、その考えに基づく実験により完成に至ったものである。
【００１９】
すなわち、この発明にかかる空気質改善方法は、
（１）学校教室やオフィス居室などの集団生活を可能とする大きさを持った部屋に設備された空調機の室内機又はファンコイルの除塵フィルタと置き換え可能な大きさと形状と通気性能とを備えると共に、揮発性有機化合物を捕捉可能な空気質改善フィルタを用意し、
（２）少なくとも、前記部屋の空気における揮発性有機化合物の濃度が一定濃度以下になるまでの間、前記除塵フィルタを前記空気質改善フィルタに取り替えた状態で前記空調機による空気調和をなすようにしたものである。
【００２０】
かかる方法によれば、前記部屋に既設の空調機を普通に稼働させるだけで、前記空気質改善フィルタによってこの部屋の空気から主として揮発性有機化合物を取り除いて、この部屋の空気質を改善させることができる。
【００２１】
前記部屋を備えた建物の引き渡し前に、この部屋の空気における揮発性有機化合物の濃度が一定濃度以下になるように前記空調機による空気調和をなすことができる。
【００２２】
また、前記部屋を備えた建物の引き渡し後に、この部屋の空気における揮発性有機化合物の濃度が一定濃度以下になるように前記空調機による空気調和をなすこともできる。
【００２３】
また、前記部屋を備えた建物の引き渡しの前後に亘って、この部屋の空気における揮発性有機化合物の濃度が一定濃度以下になるように前記空調機による空気調和をなすこともできる。
【００２４】
また、前記部屋の一部の改修などにあっては、この部屋の他の部分の利用を許した状態で、この部屋の空気における揮発性有機化合物の濃度が一定濃度以下になるように前記空調機による空気調和をなすこともできる。
【００２５】
前記部屋の空気における揮発性有機化合物の濃度が一定濃度以下になった場合は、前記空気質改善フィルタを除塵フィルタに再度置き換えることにより、空気質の改善方法の実施を容易に終了させることができる。
【００２６】
前記空気質改善フィルタを、一面側を空気の流入側とし、かつ、他面側を空気の流出側とすると共に、波形断面を持つか、又は、プリーツ状をなすように成形されたマット状体によって構成させていると共に、
この空気質改善フィルタを、粉状又は粒状をなす活性炭を担持しており主として揮発性有機化合物を捕捉する主ろ材と、
この主ろ材における空気の流入側に向けられる面を覆って主として塵芥を捕捉する副ろ材とを有するものとしておくこともある。
【００２７】
このようにした場合、空気質改善フィルタを構成する副ろ材により前記部屋の空気中の浮遊粉塵を除去することができ、さらに、主ろ材に担持された粉状又は粒状をなす活性炭によって、トルエンなどの指針物質、指針物質以外の化学物質、あるいは臭気を吸着・除去させることができ、空調機の運転を通じて前記部屋の空気質を効率的に改善させることができる。
【００２８】
また、かかる空気質改善フィルタは、波形断面を持つか、又は、プリーツ状をなすように成形されていることから、圧力損失を過大としない厚さに構成させながら、通過する空気に触れる面積を大きくさせることができ、既設の空調機の室内機又はファンコイルの除塵フィルタと支障なく置き換え可能であると共に、空気中のＶＯＣなどの化学物質や臭気を前記粉状又は粒状をなす活性炭によって確実に吸着・除去させることができる。
【００２９】
また、前記空気質改善フィルタを、主ろ材に担持された粉状又は粒状をなす活性炭に、カテキン類を添着させているものとしておくこともある。
【００３０】
このようにした場合、粉状又は粒状をなす活性炭に触れたＶＯＣをカテキン類によって分解又は無害化させることができ、空調機の稼働に伴って前記部屋の空気中のＶＯＣをより効率的に除去させることができる。
【発明の効果】
【００３１】
この発明にかかる空気質改善方法によれば、新築や改修にかかる学校校舎やオフィスビルなどにおける比較的大きな部屋内の空気から、トルエンなどの指針物質、さらには、指針物質以外の化学物質や臭気を、短時間にかつ経済的に低減させることができる。
【発明を実施するための最良の形態】
【００３２】
以下、この発明を実施するための最良の形態について説明する。
【００３３】
この実施の形態にかかる空気質改善方法は、新築や改修にかかる学校校舎やオフィスビルなどにおける比較的大きな部屋Ｒ内の空気質を、短時間に、かつ、経済的に改善させ得るものである。
【００３４】
具体的には、かかる方法は、前記部屋Ｒの空気中から、建材などから放散されるホルムアルデヒド、トルエン、キシレン、エチルベンゼン、スチレン、ｐ−ジクロロベンゼンなどの指針物質を始めとする揮発性有機化合物（ＶＯＣ）を除去して、この部屋Ｒ内の空気質を改善（つまりＶＯＣ濃度を低減）させるものである。
【００３５】
この実施の形態にあっては、学校教室やオフィス居室などの集団生活を可能とする大きさを持った部屋Ｒに設備された空調機１の室内機１”又はファンコイルの除塵フィルタと置き換え可能な大きさと形状と通気性能とを備えると共に、揮発性有機化合物を捕捉可能な空気質改善フィルタ２０を用意し、
少なくとも、前記部屋Ｒの空気における揮発性有機化合物の濃度が一定濃度以下（典型的には、指針物質が指針値以下）になるまでの間、前記除塵フィルタを前記空気質改善フィルタ２０に取り替えた状態で前記空調機１による空気調和をなすようにしている。
【００３６】
学校教室やオフィス居室などの集団生活を可能とする大きさを持った部屋Ｒとしては、床面積を５０ｍ２ 以上とする部屋Ｒを予定するものである。
【００３７】
空調機１としては、典型的には、前記部屋Ｒ内に既設のパッケージエアコン１’（天井埋め込みタイプ、壁掛けタイプ、床置きタイプなど）やファンコイルユニットなどを予定するものである。
【００３８】
そして、かかる空調機１を構成する除塵フィルタを前記空気質改善フィルタ２０に取り替えた状態で空調機１による空気調和、つまり、空調機１を稼働させる。（前記部屋Ｒの暖房、冷房、又は、送風）前記部屋Ｒに既設の空調機１が二機以上ある場合、例えば、既設のパッケージエアコン１’が二機以上ある場合にはそれらのパッケージエアコン１’の室内機１”の除塵フィルタを前記空気質改善フィルタ２０に取り替えた状態で空気調和を行う。
【００３９】
典型的には、かかる空調機１における空気の流入側１０に設けられる除塵フィルタを空気質改善フィルタ２０に取り替えるようにするが、かかる空調機１における空気の流出側１１に除塵フィルタが設けられている場合には、この除塵フィルタを空気質改善フィルタ２０に取り替えるようにしても良い。
【００４０】
この実施の形態にかかる方法によれば、前記部屋Ｒに既設の空調機１を普通に稼働させるだけで、前記空気質改善フィルタ２０によってこの部屋Ｒの空気から主として揮発性有機化合物を取り除いて、この部屋Ｒの空気質を改善させることができる。
【００４１】
前記部屋Ｒを備えた建物の引き渡し前に、この部屋Ｒの空気における揮発性有機化合物の濃度が一定濃度以下になるように前記空調機１による空気調和をなすことができる。
【００４２】
また、前記部屋Ｒを備えた建物の引き渡し後に、この部屋Ｒの空気における揮発性有機化合物の濃度が一定濃度以下になるように前記空調機１による空気調和をなすこともできる。
【００４３】
また、前記部屋Ｒを備えた建物の引き渡しの前後に亘って、この部屋Ｒの空気における揮発性有機化合物の濃度が一定濃度以下になるように前記空調機１による空気調和をなすこともできる。
【００４４】
また、前記部屋Ｒの一部の改修などにあっては、この部屋Ｒの他の部分の利用を許した状態で、この部屋Ｒの空気における揮発性有機化合物の濃度が一定濃度以下になるように前記空調機１による空気調和をなすこともできる。
【００４５】
前記部屋Ｒの空気における揮発性有機化合物の濃度が一定濃度以下になった場合は、前記空気質改善フィルタ２０を除塵フィルタに再度置き換えることにより、空気質の改善方法の実施を容易に終了させることができる。
【００４６】
また、この実施の形態にあっては、前記空気質改善フィルタ２０を、一面側を空気の流入側２０ａとし、かつ、他面側を空気の流出側２０ｂとすると共に、プリーツ状をなすように成形されたマット状体によって構成させていると共に、
この空気質改善フィルタ２０を、粉状又は粒状をなす活性炭２０ｄを担持しており主として揮発性有機化合物を捕捉する主ろ材２０ｃと、
この主ろ材２０ｃにおける空気の流入側２０ａに向けられる面を覆って主として塵芥を捕捉する副ろ材２０ｅとを有するものとしている。
【００４７】
図示の例では、主ろ材２０ｃは、不織布状をなすと共に、肉厚内に、粉状又は粒状をなす活性炭２０ｄを保持した様子のものとなっている。一方、図示の例では、副ろ材２０ｅは、主ろ材２０ｃよりも薄い不織布によって構成されている。また、図示の例では、主ろ材２０ｃの空気の流出側２０ｂに向けられる面がさらに副ろ材２０ｅと略等しい厚さを持った不織布２０ｆによって覆われている。すなわち、主ろ材２０ｃと副ろ材２０ｅと不織布２０ｆとを積層一体化させることにより空気質改善フィルタ２０が構成されている。（図５）
【００４８】
かかる空気質改善フィルタ２０は、波形断面を持つように構成させておいても構わない。
【００４９】
かかる空気質改善フィルタ２０によれば、副ろ材２０ｅにより前記部屋Ｒの空気中の浮遊粉塵を除去することができ、さらに、主ろ材２０ｃに担持された粉状又は粒状をなす活性炭２０ｄによって、トルエンなどの指針物質、指針物質以外の化学物質、あるいは臭気を吸着・除去させることができ、空調機１の稼働を通じて前記部屋Ｒの空気質を効率的に改善させることができる。
【００５０】
また、かかる空気質改善フィルタ２０は、波形断面を持つか、又は、プリーツ状をなすように成形されていることから、圧力損失を過大としない厚さに構成させながら、通過する空気に触れる面積を大きくさせることができ、既設の空調機１に備えられている除塵フィルタと支障なく置き換え可能であると共に、空気中のＶＯＣなどの化学物質や臭気を前記粉状又は粒状をなす活性炭２０ｄによって確実に吸着・除去させることができる。
【００５１】
かかる空気質改善フィルタ２０は、空調機１を構成する除塵フィルタと置き換えそれに装填し易くする観点からは、フィルタ枠２１によってその縁部を縁取り、エアフィルタユニット２として用意しておくことが好ましい。
【００５２】
かかるエアフィルタユニット２の典型例を図１〜図４に示す。この例では、略正方形の外郭形状を備えた空気質改善フィルタ２０の各辺部を、断面を略コ字状とする枠構成体２１ａの内側にはめ込み、これにより空気質改善フィルタ２０の辺部、つまり、縁部をフィルタ枠２１によって縁取っている。この例では、空気質改善フィルタ２０の隅部を挟んで隣り合う枠構成体２１ａ同士を、補強テープ２１ｂによって貼り合わせており、これにより四つの枠構成体２１ａ…２１ａからフィルタ枠２１を形作らせている。かかるフィルタ枠２１は、紙やプラスチックなどによって構成させることができる。
【００５３】
図示の例では、かかるエアフィルタユニット２は、空調機１における空気の流入側１０である、天井Ｒ’への埋め込みタイプのパッケージエアコン１’における室内機１”の空気取り入れ口１０ａを、開閉可能に覆うグリル１２の内面を覆うようにこのグリル１２の内面側に取り外し可能に装填される図示しない除塵フィルタと大きさ、厚さ、通気性能を略等しくしたものとなっている。図示の例では、かかるグリル１２の内面側には、通気格子部１２ａを囲う周回立ち上がり部１２ｂが形成されており、グリル１２を開いた状態からこの周回立ち上がり部１２ｂ内に装填されていた除塵フィルタを取り外し、これに換えてこの周回立ち上がり部１２ｂ内に副ろ材２０ｅの側を下にしてエアフィルタユニット２をはめ込むことにより、かかるパッケージエアコン１’に取り入れられる空気の除塵と揮発性有機化合物の除去とをこのように取り替えられたエアフィルタユニット２によってなすようにしている。（図６、図７）
【００５４】
以上に説明した空気質改善フィルタ２０を構成する主ろ材２０ｃに担持された粉状又は粒状をなす活性炭２０ｄに、カテキン類、過マンガン酸カリウム、五酸化ヨウ素などの薬剤を添着させておけば、粉状又は粒状をなす活性炭２０ｄに触れたＶＯＣをこれらの薬剤によって分解又は無害化させることができ、空調機１の稼働に伴って前記部屋Ｒの空気中のＶＯＣをより効率的に除去させることができる。
【００５５】
かかる粉状又は粒状をなす活性炭２０ｄへの薬剤の添着は、この薬剤の水溶液への浸漬処理、前記主ろ材２０ｃへのこの水溶液の噴霧処理などにより、なすことができる。
【００５６】
カテキン類、過マンガン酸カリウム、五酸化ヨウ素の中では、カテキン類がＶＯＣの除去にもっとも効果的であることが認められた。（後掲の実施例の実験例２参照）
【実施例】
【００５７】
本発明にかかる空気質改善フィルタを用いた室内空気質の改善を検証するため、以下の実験を行った。
【００５８】
［実験例１］  ＶＯＣの除去効果
専用実験室（4.35 ｍ×3.70 ｍ、天井高2.50 ｍ）の天井部分中央に、空冷ヒートポンプ式パッケージエアコン4方向天井カセット形（三菱電機製・型番 MPLH-P45SAB）の室内機を設置し、同室内機のエア流入口にあらかじめ備えられている除塵フィルタ（ロングライフフィルタ）に換えて、前掲の発明を実施するための最良の形態において説明した図１〜図４に示される構成を備えたエアフィルタユニット（515ｍｍ×515ｍｍ×24ｍｍ）を組み込んだ。
【００５９】
このエアフィルタユニットを構成する空気質改善フィルタの具体的構造は次の通りである。
厚さ：約１．５ｍｍ（うち、主ろ材約１．２ｍｍ、副ろ材約０．１７ｍｍ、空気の流出側を覆う不織布約０．１７ｍｍ）
活性炭の粒径：２５０〜５００μｍ
圧力損失：約２５Ｐａ（１ｍ／ｓ時）
プリーツのピッチ：８ｍｍ
プリーツ前の主ろ材長さ：約２．５ｍ
主ろ材の面積：約１．２６ｍ２
主ろ材の質量：約０．５ｋｇ
【００６０】
表１の実験条件に基づいて、標準ガス発生装置（パーミエーターＰＤ−１Ｂ：ガステック製）を用いて一定濃度のトルエンガスを連続的に実験室内に供給し、室内中央でトルエン濃度を一定時間ごとに測定した。なおパッケージエアコンの風量は強設定（16ｍ２／分：メーカーのカタログデータによる）、実験室内の換気回数は2.2回／ｈの条件で行った。
トルエン濃度の測定は、PID（Photo Ionization Detector：光イオン化）検出器による連続モニタリング装置（ppbRAE：RAE systems製）を用いて行った。
【００６１】
【表１】
2006159086.tif 000003
【００６２】
実験No.１−１、１−２の結果を表２、３にそれぞれ示す。
表２から分かるように、本発明にかかるエアフィルタユニットを用いた場合、室内のトルエン濃度は、初期濃度約1500μｇ／ｍ３から約15分程度で前記指針値の260μｇ／ｍ３程度まで低下し、トルエン除去効果を確認することができた。一方、比較例のロングライフフィルタ（表３）では、30分経過しても室内のトルエン濃度を指針値260μｇ／ｍ３以下まで低下させることはできなかった。
【００６３】
実験No.１−１の結果
【表２】
2006159086.tif 000004
【００６４】
実験No.１−２の結果
【表３】
2006159086.tif 000005
【００６５】
［実験例２］  薬剤添着活性炭粉末のＶＯＣ除去効果
活性炭粉末にカテキン類、過マンガン酸カリウム、五酸化ヨウ素などの薬剤を添着させたものを、各々のカラム（内径27ｍｍφ×長さ147ｍｍ）中に充填した。ＶＯＣとしてトルエンガス450mg/ｍ3を標準ガス発生装置（パーミエーターＰＤ−１Ｂ：ガステック製）を用いてカラムに定常的に流し、上流側と下流側とにおいて濃度を一定時間ごとに測定し、ＶＯＣ除去効果を確認した。図８にその試験装置の概要構成を示す。
【００６６】
薬剤の添着処理は、活性炭粉末４〜７ｇに対して、カテキン70〜80mg含有水溶液、過マンガン酸カリウム1/20規定水溶液、および五酸化ヨウ素７％水溶液にそれぞれ30分間含浸させ、その後24時間清浄空気で乾燥させた。また、比較用の薬剤添着をしない、すなわち未処理の活性炭粉末は、純水に含浸させ同様の処理を行なった。
トルエン濃度の測定は、検知管（上流側 124SA型または124SB型，下流側 721型：光明理化学製）により行った。
【００６７】
表４に、薬剤添着活性炭粉末によるＶＯＣ除去効果を示す。同図縦軸のトルエン除去率は（１−（下流側のトルエン濃度／上流側のトルエン濃度））×100％で表した。
活性炭粉末に薬剤を添着させることにより、未処理の活性炭粉末と比べてトルエンの除去率が長時間維持することが分かった。とくにカテキン類や過マンガン酸カリウムでは、１５時間以上経過してもほぼ１００％のトルエン除去率を保っている。
本発明にかかる空気質改善フィルタに用いられる活性炭粉末に薬剤を添着させることにより、この空気質改善フィルタのＶＯＣ除去向上や長寿命化が期待できることが分かった。
【００６８】
薬剤添着活性炭粉末によるトルエン除去効果
【表４】
2006159086.tif 000006
【００６９】
［実験例３］  新築の学校教室における室内空気質の改善
実際に施工中の現場において、本発明の効果を確認した。
先の実験例１、２では、室内空気のＶＯＣとしてトルエンを指標に、空気質改善フィルタのＶＯＣ除去効果を確認したが、現場の室内空気には、トルエン以外のＶＯＣや化学物質が多数存在しているため、空気質改善フィルタに相当の負荷がかかると予想される。
【００７０】
実験例３では、本発明にかかる空気質改善フィルタの総合的な判断を目的に、トルエンだけでなく、総有機物に関しても除去効果を確認した。ここで総有機物とは、ＧＣ／ＭＳ（ガスクロマトグラフ／質量分析計）にて検出された全ての有機化合物のことを意味する。
【００７１】
新築の学校教室Ａ〜Ｃ（いずれも9.2ｍ×8.5ｍ、天井高3.0ｍ）において、内装工事がほぼ終了した段階から約１カ月間を実験期間とし、室内空気のトルエンおよび総有機物の濃度を測定した。
実験期間中、教室Ａ、教室Ｂ、教室Ｃに対して、毎日８時〜22時の間、表５の実験条件に基づいて室内空気質の実験を実施した。
機械換気は、2.2回／ｈに設定した。そして、教室の天井部分に設置された空冷ヒートポンプ式パッケージエアコン4方向天井カセット形（三菱電機製・型番 PLFY−P45AM-C）の室内エア流入口内に本発明にかかるエアフィルタユニット（515ｍｍ×515ｍｍ×24ｍｍ／前掲の実験例１で用いたものと同じもの）を組み込んだ。空調機の稼働時は、風量は強運転（16ｍ２／分：メーカーのカタログデータによる）とした。
【００７２】
なお、室内空気のトルエンおよび総有機物の濃度を測定する際は、機械換気や空調機の稼働をいったん中断して、まず初期濃度測定を行った。その後、空調を稼動させてから２時間後の濃度を再度測定し、濃度の変化を調べた。
トルエン・総有機物のサンプリングに用いる捕集管は，Tenax−GR（スペルコ製），分析はＧＣ／ＭＳ（ガスクロマトグラフ／質量分析計，GC-2010/GCMS-QP2010：島津製作所製）にてそれぞれ行った。
【００７３】
【表５】
2006159086.tif 000007
【００７４】
表６に総有機物の除去効果を、表７にトルエンの除去効果をそれぞれ示す。
総有機物の濃度については、本発明にかかるエアフィルタユニットを用いた室内空気質改善法により、２時間後には、教室Ｂにおいて94％、教室Ｃにおいて84％、それぞれ総有機物の濃度が減少した（表６参照）。
またトルエン濃度に関しても、いずれの教室内においても初期濃度は前記指針値の260μｇ／ｍ３より低い状態にあったが、本発明にかかるエアフィルタユニットを用いた室内空気質改善法を適用した教室Ｂ、Ｃにおいては、２時間後、トルエンの濃度をさらに教室Ｂで89％、教室Ｃで97％、それぞれ減少させることができた（表７参照）。本発明にかかるエアフィルタユニット組込空調機を２時間程度稼動させることで、室内に存在する化学物質の除去に効果があった。
【００７５】
総有機物除去効果
【表６】
2006159086.tif 000008
【００７６】
トルエン除去効果
【表７】
2006159086.tif 000009
【００７７】
さらに、表８（１カ月空気質改善方法の実施を継続した後のエアフィルタユニットを装填したパッケージエアコンを稼働させる直前と稼働２時間後との総有機物の濃度を測定した結果を示したもの）に示す通り、本発明にかかるエアフィルタユニットは、１カ月これを利用した空気質改善方法の実施を継続した後でも、総有機物除去効果が保持されており、フィルタ性能の持続性があることが確認された。
【００７８】
１カ月継続後の総有機物除去効果
【表８】
2006159086.tif 000010
【００７９】
また、本発明にかかるエアフィルタユニットを用いた空気質改善方法の実施を同じく１カ月継続した後に、教室Ａ〜Ｃ内の対象空気をにおい袋にそれぞれ吸引し、嗅覚検査に合格したパネラー５名により６段階臭気強度表示法による臭気強度の測定を行った。
【００８０】
その結果、表９（１カ月空気質改善方法の実施を継続した後のエアフィルタユニットを装填したパッケージエアコンを稼働させる直前と稼働２時間後との臭気強度を測定した結果を示したもの）に示す通り、本発明のエアフィルタユニットは、１カ月これを利用した空気質改善方法の実施を継続しても、 ＶＯＣ以外の臭気についても低減効果が保持されており、この点でもフィルタ性能の持続性が確認された。
【００８１】
１カ月継続後の臭気低減効果
【表９】
2006159086.tif 000011
【図面の簡単な説明】
【００８２】
【図１】エアフィルタユニット２の平面図
【図２】同正面図
【図３】同斜視図
【図４】同断面図
【図５】空気質改善フィルタ２０の断面構成図
【図６】パッケージエアコン１’の斜視構成図
【図７】パッケージエアコン１’に空気質改善フィルタ２０（エアフィルタユニット２）を装填する様子を示した斜視構成図
【図８】実験例２の試験装置の概要構成図
【符号の説明】
【００８３】
Ｒ  部屋
１  空調機
１”  室内機
２０  空気質改善フィルタ
【図１】
2006159086.tif 000012
【図２】
2006159086.tif 000013
【図３】
2006159086.tif 000014
【図４】
2006159086.tif 000015
【図５】
2006159086.tif 000016
【図６】
2006159086.tif 000017
【図７】
2006159086.tif 000018
【図８】
2006159086.tif 000019